(57)【要約】【課題】  排出通路内面に付着した異物を掃除できるようにすると共に、ドレン発生量の少ない蒸気配管系に設置されても蒸気を吹きっ放すことのない下向バケット型スチームトラップを提供する。【解決手段】  本体１と上蓋３とで形成した弁ケーシングで入口５と弁室４と出口１４を形成する。弁室４の上部に弁座部材１８を取り付け、弁座部材１８に弁室４を出口１４側に連通する排出通路１６を形成する。下部に導入開口２６を上部に逸気孔２５を設けた下向バケット２２を弁室４内に配置し、下向バケット２２の浮上降下により排出通路１６を開閉する。弁座部材１８の排出通路１６内面に付着した異物を掃除する操作部材３２を排出通路１６の軸方向に外部から進退操作可能に配置し、操作部材３２を前進させたときに排出通路１６を閉じる弁部材３５を設ける。【選択図】      図１
2009041718.tif 000002
【特許請求の範囲】
【請求項１】
弁ケーシングで入口と弁室と出口を形成し、弁室の上部に弁座部材を取り付け、弁座部材に弁室を出口側に連通する排出通路を形成し、下部に導入開口を上部に逸気孔を設けた下向バケットを弁室内に配置し、下向バケットの浮上降下により排出通路を開閉するものにおいて、弁座部材の排出通路内面に付着した異物を掃除する操作部材を排出通路の軸方向に外部から進退操作可能に配置し、操作部材を前進させたときに排出通路を閉じる弁部材を設けたことを特徴とする下向バケット型スチームトラップ。
【発明の詳細な説明】
【技術分野】
【０００１】
本発明は、蒸気配管系に発生するドレンを下向バケットの浮上降下によって自動的に排出する下向バケット型スチームトラップに関し、特に下向バケットが開閉する弁座部材の排出通路内面に付着した流体中の異物を掃除できるものに関する。
【背景技術】
【０００２】
従来の下向バケット型スチームトラップは、弁ケーシングで入口と弁室と出口を形成し、弁室の上部に弁座部材を取り付け、弁座部材に弁室を出口側に連通する排出通路を形成し、下部に導入開口を上部に逸気孔を設けた下向バケットを弁室内に配置し、下向バケットの浮上降下により排出通路を開閉するものである。この下向バケット型スチームトラップは、入口から下向バケット内に蒸気が流入してくると、下向バケットが浮力を受けて浮上して排出通路を閉じ、蒸気の漏出を防止する。そして、入口からドレンが流入して下向バケット内への蒸気の供給が止まると、下向バケット内の蒸気が冷却凝縮と逸気孔からの逸出により減少し、下向バケットが浮力を失って降下して排出通路を開け、ドレンを出口に排出する。ドレンの排出により下向バケット内に蒸気が流入してくると、下向バケットが再び浮上して排出通路を閉じる。このような作動を繰り返して行うものである。
【０００３】
上記従来の下向バケット型スチームトラップにおいては、排出通路の内面に流体中のゴミやスケール等の異物が付着堆積し、排出通路が次第に狭められて排出流量の減少、ひいては排出通路が詰まってしまうという問題点があった。また、ドレン発生量の少ない蒸気配管系に設置されると、入口から流入するドレンが少ないために下向バケット外のドレンの液位が低下して、下向バケットが浮上できなくなり蒸気を吹きっ放してしまう問題点があった。
【特許文献１】特開２０００−２８０９４
【発明の開示】
【発明が解決しようとする課題】
【０００４】
従って、本発明の技術的課題は、排出通路内面に付着した異物を掃除できるようにすると共に、ドレン発生量の少ない蒸気配管系に設置されても蒸気を吹きっ放すことのない下向バケット型スチームトラップを提供することである。
【課題を解決するための手段】
【０００５】
上記の技術的課題を解決するために講じた本発明の技術的手段は、弁ケーシングで入口と弁室と出口を形成し、弁室の上部に弁座部材を取り付け、弁座部材に弁室を出口側に連通する排出通路を形成し、下部に導入開口を上部に逸気孔を設けた下向バケットを弁室内に配置し、下向バケットの浮上降下により排出通路を開閉するものにおいて、弁座部材の排出通路内面に付着した異物を掃除する操作部材を排出通路の軸方向に外部から進退操作可能に配置し、操作部材を前進させたときに排出通路を閉じる弁部材を設けたことを特徴とするものである。
【発明の効果】
【０００６】
本発明は、外部から操作部材を排出通路の軸方向に進退させることにより、弁座部材の排出通路内面に付着した異物を掃除することができる。そのため、排出流量の減少や排出通路の詰りを生じることがないという優れた効果を生じる。また、操作部材を前進させたときに弁部材で排出通路を閉じることにより、入口から流入するドレンを下向バケット外に溜めてドレンの液位を上昇させることができるので、その後操作部材を後退させて排出通路を開けると、下向バケットが正常に浮上降下して排出通路を開閉することができる。そのため、ドレン発生量の少ない蒸気配管系に設置されても蒸気を吹きっ放すことがないという優れた効果を生じる。
【発明を実施するための最良の形態】
【０００７】
本発明の下向バケット型スチームトラップは、弁座部材の排出通路内面に付着した異物を掃除する操作部材を排出通路の軸方向に外部から進退操作可能に配置し、操作部材を前進させたときに排出通路を閉じる弁部材を設けたものである。そのため、外部から操作部材を排出通路の軸方向に進退させることにより、弁座部材の排出通路内面に付着した異物を掃除することができる。また、操作部材を前進させたときに弁部材で排出通路を閉じることにより、入口から流入するドレンを下向バケット外に溜めてドレンの液位を上昇させることができるので、その後操作部材を後退させて排出通路を開けると、下向バケットが正常に浮上降下して排出通路を開閉することができ、ドレン発生量の少ない蒸気配管系に設置されても蒸気を吹きっ放すことがない。
【実施例１】
【０００８】
上記の技術的手段の具体例を示す実施例を説明する（図１と図２参照）。弁ケーシングは本体１と本体１にガスケット２を介してボルト等の締結手段（図示せず）で固着した上蓋３とで形成する。弁ケーシング内には弁室４を形成し、入口５を入口通路６、導入管７の導入孔８及び通孔９を通して連通する。本体１の下部に入口通路６に連通する開口１０を設け、外部から入口通路６に異物捕捉用の円筒状スクリーン１１を挿入する。開口１０はプラグ１２で塞ぐ。出口１４は出口通路１５及び排出通路１６を通して弁室４に連通する。排出通路１６は弁室４の上部側方にねじ結合した弁座部材１８で形成する。排出通路１６は弁室４側端の小径の先端部１６ａと、先端部１６ａの下流の下流に向かって径の拡がったテーパー部１６ｂと、テーパー部１６ｂの下流の大径の後端部１６ｃから成る。
【０００９】
弁室４内に浮上降下により弁座部材１８の弁室側端面に離着座して排出通路１６を開閉する下向バケット２２を自由状態で収容する。下向バケット２２は半球よりも少し大きな球殻２３と、球殻２３の下部開口縁に固着した環状の口金２４とで形成する。下向バケット２２の上部には逸気孔２５を設け、下部には入口５側の流体の導入開口２６を設ける。導入管７は下向バケット２２の導入開口２６を通して内部に突出するように本体１の底壁にねじ結合して取り付ける。導入管７の下部と本体１の間に排出通路１６方向に向かって上がり勾配に傾斜した傾斜壁２７を固定する。下向バケット２２が排出通路１６を閉じた位置で当接するバケット座２８を下向バケット２２の上方に、図面の手前側と向う側に２つ設ける。
【００１０】
上蓋２に弁座部材１８と同一軸上にプラグ３１をねじ結合する。プラグ３１に外部から進退調節可能に操作部材３２をねじ結合する。操作部材３２はプラグ３１を貫通し、排出通路１６の先端部１６ａの下流に位置する先端部３２ａが前進により弁室４内に突出し、後端部が外部に位置する。プラグ３１と操作部材３２の間にパッキング３３を配置し、プラグ３１にパッキング押え３４をねじ結合してプラグ３１と操作部材３２の間の気密を保つ。操作部材３２の先端部３２ａの外径は排出通路１６の先端部１６ａの内径よりも僅かに小径に形成し、操作部材３２を前進させたときに操作部材３２の先端部３２ａで排出通路１６の先端部１６ａ内面を掃除する。操作部材３２の先端部３２ａの後方にテーパー状の弁部材３５を操作部材３２に一体に形成する。操作部材３２の弁部材３５は排出通路１６のテーパー部１６ｂに離着座し、排出通路１６を前進したときに閉じ後退したときに開ける。
【００１１】
上記実施例の下向バケット型スチームトラップの動作は下記の通りである。入口５から入口通路６、導入孔８、通孔９を通して下向バケット２２内に蒸気が流入してくると、下向バケット２２が浮力を受けて浮上して弁座部材１８の弁室側端面に着座して排出通路１６を閉じ、蒸気の漏出を防止する。そして、入口５からドレンが流入して下向バケット２２内への蒸気の供給が止まると、下向バケット２２内の蒸気が冷却凝縮と逸気孔２５からの逸出により減少し、下向バケット２２が浮力を失って降下して排出通路１６を開け、ドレンを排出通路１６、出口通路１５を通して出口１４に排出する。ドレンの排出により下向バケット２２内に蒸気が流入してくると、下向バケット２２が再び浮上して排出通路１６を閉じる。このような作動を繰り返して行う。
【００１２】
流体中の異物は円筒状スクリーン１１により捕捉されるが、捕捉できない微細な異物が弁座部材１８の排出通路１６の先端部１６ａ内面に付着した場合、外部から操作部材３２をねじ込んで操作部材３２の弁部材３５が排出通路１６のテーパー部１６ｂに着座して排出通路１６を閉じる位置まで前進させる。これにより、操作部材３２の先端部３２ａで弁座部材１８の排出通路１６の先端部１６ａ内面を掃除する。そして、ドレン発生量の少ない蒸気配管系に設置された場合であっても、入口５から流入するドレンを下向バケット２２外に溜めてドレンの液位を上昇させ、その後操作部材３２を後退させて排出通路１６を開けることにより、下向バケット２２が正常に浮上降下して排出通路１６を開閉することができ、蒸気を吹きっ放すことがない。
【図面の簡単な説明】
【００１３】
【図１】本発明の下向バケット型スチームトラップの操作部材を最後退させた状態の断面図。
【図２】本発明の下向バケット型スチームトラップの操作部材を最前進させた状態の断面図。
【符号の説明】
【００１４】
１  本体
３  上蓋
４  弁室
５  入口
１４  出口
１６  排出通路
１８  弁座部材
２２  下向バケット
２５  逸気孔
２６  導入開口
３２  操作部材
３５  弁部材
【図１】
2009041718.tif 000003
【図２】
2009041718.tif 000004